(57)【要約】【課題】柄の先端にブラシを有する頭体を交換可能に取り付けた歯ブラシにおいて、頭体を工具類を用いずに取り外せるとともに緩みやがたつきのない安定した取り付けができるようにする。【解決手段】柄１の先端の突出片２とそこへ嵌装した頭体１０の先端部に、頭体１０のブラシ１２植毛領域を突出片２の圧着させる突起２５からなる押し付け手段２１をブラシ１２と反対側で突出片２と頭体１０とが向かい合った面に設け、圧電振動子５の超音波振動が発するエネルギをブラシ１２から口腔内に高効率で伝達するようにした。また突出片２および頭体１０の基端部に横方向に延びる係合突起２６，２７を向かい合わせに突出してなる抜け止め手段２２を設け、先端側の押し付け手段２１と協働して安定した取り付けができ、且つ工具類を用いないで小さい力で頭体１０の着脱ができるようにした。【選択図】　　　図２
2004057534.tif 000002
【特許請求の範囲】
【請求項１】
基端に開放した中空部を有するとともに一つの表面にブラシを有する頭体が、柄の先端に設けられ圧電振動子を埋設している突出片に前記中空部を嵌装して着脱可能に取り付けられることにより、ブラシ部分を交換可能とした超音波歯ブラシにおいて、
前記頭体は前記ブラシの植毛領域の基端側にブラシを有しない筒状部を延出させていて前記ブラシを一つの表面の先端側領域に有するものとされ、前記突出片は前記ブラシ植毛領域と向かい合う先端部分に前記圧電振動子を埋設したものとされており、
そして、前記頭体のブラシを植毛した壁に対向する背壁の内表面および前記突出片の前記背壁に向かい合う外表面のいずれかに設けられ、前記ブラシ植毛壁のブラシ植毛領域における内表面部分とこれに向かい合う前記突出片の外表面部分とを互いに圧着させるように働く突起からなる押し付け手段と、
前記頭体および突出片の各基端部に向かい合って設けられ、互いに係合して抜け止めとして働く抜け止め手段と、
を具えたことを特徴とする超音波歯ブラシ。
【請求項２】
請求項１に記載した超音波歯ブラシにおける前記押し付け手段および抜け止め手段に加えて、
前記頭体のブラシ植毛壁と背壁の端縁間で対向する二つの側壁の内表面および前記突出片の前記内表面に向かい合う外表面の少なくともいずれかの先端側領域に設けられ、向かい合う表面に押し付けられて前記頭体の横方向動きを防止するように働く突起からなる横振れ防止手段、
を具えたことを特徴とする超音波歯ブラシ。
【請求項３】
請求項１に記載した超音波歯ブラシにおける前記押し付け手段および抜け止め手段に加えて、
前記背壁および突出片の各先端側領域に向かい合って設けられ、互いに係合して抜け止めとして働く補助抜け止め手段、
を具えたことを特徴とする超音波歯ブラシ。
【請求項４】
請求項１に記載した超音波歯ブラシにおける前記押し付け手段および抜け止め手段に加えて、
前記頭体のブラシ植毛壁と背壁の端縁間で対向する二つの側壁の内表面および前記突出片の前記内表面に向かい合う外表面の少なくともいずれかの先端側領域に設けられ、向かい合う表面に押し付けられて前記頭体の横方向動きを防止するように働く突起からなる横振れ防止手段と、
前記背壁および突出片の各先端側領域に向かい合って設けられ、互いに係合して抜け止めとして働く補助抜け止め手段と、
を具えたことを特徴とする超音波歯ブラシ。
【請求項５】
前記頭体は前記背壁および二つの側壁の内表面側に前記突出片との間に先端から基端近くに亘って狭い隙間を有し基端部で全内周にこれよりも大きな隙間を有して前記突出片に取り付けられている請求項１，２，３または４に記載した超音波歯ブラシ。
【請求項６】
前記押し付け手段が前記背壁の前記突出片に向かい合う内表面に隆起させて形成した台状の突起であり、前記台状突起は基端から先端に向かって次第に幅が大きくなるとともに高くなるように傾斜している請求項１，２，３または４に記載した超音波歯ブラシ。
【請求項７】
前記押し付け手段が前記突出片の前記背壁に向かい合う外表面に隆起させて形成した台状の突起であり、前記台状突起は先端から基端に向かって次第に幅が大きくなるとともに高くなるように傾斜している請求項１，２，３または４に記載した超音波歯ブラシ。
【請求項８】
前記抜け止め手段が前記突出片の基端部外表面と前記頭体の基端部内表面とに向かい合わせて突出形成したリブ状の係合突起からなるものである請求項１，２，３または４に記載した超音波歯ブラシ。
【請求項９】
前記横振れ防止手段が前記突出片の両側外表面に突出形成した前後方向へ延びるリブ状の突起からなるものである請求項２または４に記載した超音波歯ブラシ。
【請求項１０】
前記補助抜け止め手段が前記突出片の前記背壁に向かい合う外表面に突出形成した横方向へ延びるリブ状の係合突起と前記背壁に形成した横方向へ延びる係合溝または係合溝孔とからなるものである請求項３または４に記載した超音波歯ブラシ。
【請求項１１】
前記押し付け手段の突起が台状であって前記突出片の前記背壁に向かい合う外表面に形成され、前記補助抜け止め手段の前記係合突起が前記台状突起の上に設けられている請求項１０に記載した超音波歯ブラシ。
【請求項１２】
前記頭体の前記筒状部が薄肉であり、且つ前記突出片に嵌装したとき基端部全内周に隙間を有するものとされている請求項１に記載した超音波歯ブラシ。
【発明の詳細な説明】
【０００１】
【発明の属する技術分野】
本発明はブラシを有する頭体が柄の先端部に着脱可能に取り付けられることによりブラシ部分を交換可能とした超音波歯ブラシ、詳しくは頭体が緩みやがたつきを生じることなく、殊に圧電振動子の超音波振動をブラシに向かって効率よく伝達できる状態に取り付けられるとともに、頭体を手の力で着脱、殊に工具類を用いることなく取り外すことができる超音波歯ブラシに関するものである。
【０００２】
【従来の技術】
ブラシが摩耗したとき、歯ブラシ全体を廃棄することなくブラシ部分のみを新しいものに交換することは、廃棄物の減量、省資源、経済面などの点で有利である。殊に、ブラシに超音波振動や電動機による機械振動を与える動力駆動歯ブラシにおいては、超音波発信器や電動機およびそれらの制御回路や伝動機構を柄に内蔵させていることからブラシ部分を交換式とすることの利益はきわめて大きい。
【０００３】
一方、ブラシ部分を交換可能としたものは、殊に超音波歯ブラシにあっては、頭体取り付け部分の隙間によるエネルギ伝達効率の低下を生じることがないようにする必要があり、これらを考慮した頭体取り付け構造が特表平７−５０９１５１号公報に提示されている。
【０００４】
前記公報に提示されている超音波歯ブラシは、図８（Ａ）に示すように柄１０１の先端に平らな底表面１０３とテーパ状の上表面１０４とを有する突出片１０２を設けるとともに、ブラシ１０８を一つの表面に設けた頭体１０７に底表面１１０を平らとし上表面１１１をテーパ状とした空所１０９を形成し、突出片１０２の上表面１０４の基端に設けた溝１０６に係合する舌部１１２を上表面１１１の空所１０９入口端に設けたものとしている。突出片１０２には圧電振動子１１３が埋設されており、圧電振動子１１３は柄１０１に内蔵した超音波発信器が印加する電圧によって超音波振動を行なう。
【０００５】
空所１０９に突出片１０２を嵌め込むと、突出片１０２の上表面１０４を空所１０９の上表面１１１よりも大きいテーパ角度としていることによって、頭体１０７は空所１０９が押し拡げられながら嵌め込まれ、ブラシ１０８を設けた壁側の底表面１１０が突出片１０２の底表面１０３に密着するとともに二つのテーパ状の上表面１０４，１１１を互いに密着し、且つ溝１０６に舌部１１２が係合した図８（Ｂ）に示す状態に取り付けられる。
【０００６】
二つの底表面１０３，１１０と二つの上表面１０４，１１１がそれぞれ互いに密着することは、圧電振動子１１３の超音波振動が発する超音波エネルギの口腔内への伝達効率を高くする効果があり、また溝１０６と舌部１１２との係合は頭体１０７の緩みやがたつき更には突出片１０２からの抜け出しを防止するように働く。
【０００７】
【発明が解決しようとする課題】
ところが、このように取り付けられている頭体１０７を突出片１０２から抜き出して取り外すとき、手で引っ張っても抜き出すことができず、特別に準備した専用工具を用いて抜き出すか、または柄１０１の先端とブラシ１０８を設けた壁の基端との隙間１１４にくさび機能を有するねじ回しなどの入手容易な道具を差し込んで頭体１０７を抜き出し方向へ押し舌部１１２を溝１０６から外さなければならない。このため、頭体１０７の取り外しがきわめて面倒であるばかりか、身の回りの道具を用いる場合は柄１０１や頭体１０７を押さえ持っている手の指を傷つける危険、或いは道具に加える力の方向によっては突出部１０２を折損する心配がある。
【０００８】
本発明はブラシ部分を新しいものに交換するにあたって、緩みやがたつきを生じないように強固に取り付けられているブラシ部分を取り外すには工具類が必要である、という前記課題を解決するためになされたものであって、ブラシ部分が緩みやがたつきを生じることなく、殊に圧電振動子埋設個所とブラシ植毛領域とが隙間なく密着した状態で安定して強固に取り付けられるとともに、工具類を用いることなく手の直接の力で取り外すことができるものとすることを目的とする。
【０００９】
【課題を解決するための手段】
基端に開放した中空部を有するとともに一つの表面にブラシを有する頭体が、柄の先端に設けられ圧電振動子を埋設している突出片に中空部を嵌装して着脱可能に取り付けられることにより、ブラシ部分を交換可能とした超音波歯ブラシがもっている前記課題を解決するために、本発明は頭体をブラシの植毛領域の基端側にブラシを有しない筒状部を延出させていてブラシを一つの表面の先端側領域に有するものとするとともに、突出片をブラシ植毛領域と向かい合う先端部分に圧電振動子を埋設したものとし、そして頭体のブラシを植毛した壁に対向する背壁の内表面および突出片の背壁に向かい合う外表面のいずれかに設けられ、ブラシ植毛壁のブラシ植毛領域における内表面部分とこれに向かい合う突出片の外表面部分とを互いに圧着させるように働く突起からなる押し付け手段と、頭体および突出片の各基端部に向かい合って設けられ、互いに係合して抜け止めとして働く抜け止め手段とを具えさせたことを第一手段とした。
【００１０】
中空部を突出片に嵌装して頭体を取り付けたとき、先端側の押し付け手段は頭体のブラシ植毛領域内表面部分と突出片の圧電振動子埋設部分の外表面とを互いに密着させ、また押し付け手段と基端側の抜け止め手段とによって緩みやがたつきを生じることなく安定した状態に取り付けられる。取り外すときは柄と頭体を互いに引き離す方向へ引っ張ることにより抜け止め手段の係合が外れ、工具類を用いることなく手の直接の力で容易に取り外すことができる。
【００１１】
また、本発明は前記の押し付け手段および抜け止め手段を具えたものに加えて、頭体のブラシ植毛壁と背壁の端縁間で対向する二つの側壁の内表面および突出片のこれらの内表面に向かい合う外表面の少なくともいずれかの先端側領域に設けられ、向かい合う表面に押し付けられて頭体の横方向動きを防止するように働く突起からなる横振れ防止手段を具えさせたことを第二手段とした。
【００１２】
横振れ防止手段は押し付け手段と協働して頭体を更に安定して強固に取り付けさせるものであり、殊に回転電動機による機械振動を併用した超音波歯ブラシに適用したとき機械振動に伴う緩みやがたつきが確実に防止される。
【００１３】
更に、本発明は前記の押し付け手段および抜け止め手段を具えたものに加えて、背壁および突出片の各先端側領域に向かい合って設けられ、互いに係合して抜け止めとして働く補助抜け止め手段を具えさせたことを第三手段とした。
【００１４】
補助抜け止め手段は基端側の抜け止め手段と協働して頭体を突出片に安定よく保持するものであり、また手の力による取り外しを困難とすることがない。
【００１５】
更にまた、本発明は前記の押し付け手段および抜け止め手段を具えたものに加えて、第二手段における横振れ防止手段と第三手段における補助抜け止め手段とを具えさせたことを第四手段とした。
【００１６】
この第四手段によると、第一、第二、第三手段がもつ前述の各特長の全てを具備した超音波歯ブラシが提供されることとなる。
【００１７】
【発明の実施の形態】
図面を参照して本発明の実施の形態を説明すると、図１乃至図４は圧電振動子による超音波振動と回転電動機による機械振動との併用または選択使用によって歯磨きを行なう歯ブラシに実施した形態を示す図である。この歯ブラシの柄１は硬質合成樹脂の中空成形品であって基端柄部１Ａと先端柄部１Ｂとからなり、これらは嵌め合わせによって分離可能に結合されている。電源は一般家庭の商用電源に求めることができるが、本実施の形態では充電可能な電池３が用いられている。また、超音波の発信や電動機駆動電流の制御などを行なう電子制御回路基板４と回転電動機６とが電池３とともに硬質合成樹脂製のホルダ８に保持されて柄１に収装されている。
【００１８】
先端柄部１Ｂは先端に細長い中空角棒状の突出片２を延出させて一体に有しており、細長薄板状の圧電素子からなる圧電振動子５が突出片２の先端に埋設されている。回転電動機６の出力軸には偏心荷重７として働く重錘が取り付けられている。
【００１９】
一方、基端に開放した中空部１１を有する細長い角棒状であって、一つの壁の先端部に多数の毛の束を植設してなるブラシ１２を有する頭体１０が、中空部１１を突出片２に着脱可能に嵌装することによって柄１の先端に取り付けられている。
【００２０】
頭体１０はブラシ１２を設けたブラシ植毛壁１０Ａおよびこれに対向する背壁１０Ｂと、これらの端縁間で向かい合う二つの側壁１０Ｃと、先端面を塞いだ先端壁１０Ｄとによって形成され、且つブラシ１２を口腔の最も奥の部分、即ち奥歯を磨く位置に差し込んだとき基端が口腔外にあるような長さを有している。また、ブラシ植毛領域の基端側に延びブラシ１２を有しない筒状部は薄肉とされている。
【００２１】
突出片２は頭体１０のブラシ植毛壁１０Ａ，背壁１０Ｂ，二つの側壁１０Ｃと向かい合う第一壁２Ａ，第二壁２Ｂ，二つの第三壁２Ｃによって形成され、中空部１１を完全に嵌装したとき頭体１０の基端面が先端柄部１Ｂから突出片２に移行する段部１Ｃにほぼ接する長さを有している。
【００２２】
また、突出片２の二つの第三壁２Ｃおよび頭体１０の二つの側壁１０Ｃは、それぞれ先端から基端に向かって互いに平行に延び、基端部分で互いの間隔が次第に大きくなるように拡げられている。また、突出片２の第一壁２Ａと第二壁２Ｂおよび頭体１０のブラシ植毛壁１０Ａと背壁１０Ｂは、それぞれ先端から基端に向かって互いの間隔を僅かづつ大きくしながら延び、基端部分で互いの間隔が急に大きくなるように拡げられている。そして、突出片２に中空部１１を嵌装したとき、頭体１０は背壁１０Ｂと二つの側壁１０Ｃの内表面側に突出片２との間に先端から基端近くに亘ってごく僅かな隙間を有するが、基端部では全内周にこれよりも大きな隙間を有する状態で柄１に取り付けられるものとされている。尚、ブラシ植毛壁１０Ａは少なくともブラシ植毛領域で第一壁２Ａに密着している。
【００２３】
突出片２の先端に埋設した圧電振動子５の電極に電圧を印加すると、電気分極することによって厚さ方向にひずみを生じ、このひずみによる超音波振動が発する超音波の加速度エネルギが口腔内を伝播して歯垢や汚れ物質の剥離除去、歯肉マッサージを行なうことは広く知られており、エネルギの伝達効率は圧電振動子５，第一壁２Ａ，ブラシ植毛壁１０Ａの間の隙間の有無に影響される。
【００２４】
また、回転電動機６を運転すると、偏心荷重７によって回転電動機６が振動し、この振動がホルダ８から柄１，頭体１０に伝達されてこれらに三次元方向の機械振動を行なわせることにより、手を動かさなくてもブラシ１２による歯垢除去や歯肉マッサージが行なわれることも広く知られており、機械振動の伝達効率は突出片２と頭体１０との間の緩みやがたつきの有無に影響される。
【００２５】
図１乃至図４に示した実施の形態において、背壁１０Ｂの第二壁２Ｂに向かい合う内表面１０ｂの先端部に、台状の突起２５が背壁１０Ｂから隆起させて形成されている。また、第一壁２Ａおよび第二壁２Ｂの各外表面２ａ，２ｂとブラシ植毛壁１０Ａおよび背壁１０Ｂの各内表面１０ａ，１０ｂとのそれぞれの基端部に、横方向へ延びるリブ状の係合突起２６，２７がそれぞれの壁から突出させて形成されている。更に、二つの第三壁２Ｃの側壁１０Ｃに向かい合う外表面２ｃのそれぞれの先端部に、前後方向へ延びるリブ状の突起２８が第三壁２Ｃから突出させて形成されている。
【００２６】
突起２５は基端から先端に向かって次第に幅が広くなるとともに高くなるように傾斜しており、突出片２に頭体１０が取り付けられたとき第二壁２Ｂと背壁１０Ｂとの先端部における隙間を押し拡げ、従ってブラシ植毛壁１０Ａのブラシ植毛領域における内表面１０ａを第一壁２Ａの外表面２ａに押し付け圧着させるように働く。即ち、本実施の形態における台状の突起２５は本発明の押し付け手段２１を構成し、圧電振動子５が発するエネルギの伝達効率を高いものにするという利点がある。
【００２７】
また、突出片２に頭体１０が取り付けられたとき、突出片２の係合突起２６と頭体１０の係合突起２７とが互いに係合し、これらは頭体１０が抜け出すのを防止するように働く。即ち、本実施の形態におけるアンダカット構造の係合突起２６，２７は本発明の抜け止め手段２２を構成し、先端側の押し付け手段２１と基端側の抜け止め手段２２とによって頭体１０の緩みやがたつきが防止される。尚、本実施の形態では突出片２と頭体１０との間の隙間を先端側に比べて基端部で少し大きくしており、頭体１０の取り付けおよび取り外しの際にその基端面が突出片２の係合突起２６に衝突しないように考慮した形状となっている。
【００２８】
更に、突出片２に頭体１０が取り付けられたとき、突起２８は二つの側壁１０Ｃの内表面１０ｃに押し付けられて第三壁２Ｃと側壁１０Ｃとの隙間による頭体１０の横方向動きを防止するように働く。即ち、本実施の形態における突起２８は本発明の横振れ防止手段２３を構成し、押し付け手段２１と協働して頭体１０の殊にブラシ１２を設けた先端部分を更に安定よく強固に突出片２に固定し、超音波振動のエネルギ伝達効率、緩みやがたつき防止を更に良好なものとすることができる。
【００２９】
尚、突出片２の各壁２Ａ，２Ｂ，２Ｃと頭体１０の各壁１０Ａ，１０Ｂ，１０Ｃの形状および互いの隙間関係を前述のようにした本実施の形態によると、突出片２に中空部１１を嵌装するとき引っ掛かりや抵抗がない状態で嵌装が開始され、二つの側壁１０Ｃが互いに平行となった領域でそれらの内表面１０ｃに突起２８が接触するようになると、この突起２８は前後方向へ延びるリブ状であるため僅かな抵抗を発生にとどまる。嵌装行程の終期に至って突起２５が背壁１０Ｂの内表面１０ｂに接触すると抵抗が次第に増大し、そして最大抵抗を与える係合突起２６，２７の互いの乗り越えを終わったとき取り付けを完了する。尚、基端部において突出片２と頭体１０との隙間は大きくなっていることと、頭体１０のブラシ植毛領域から基端側の各壁が薄肉であることとによって、係合突起２６，２７が係合するときの最大抵抗はさほど大きくなく、また繰り返し係脱してもこれらが摩耗する心配はない。また、頭体１０を取り外すときは頭体１０の基端部が薄肉の筒状に形成されていて容易に変形することにより、最初の引っ張りだけで容易に抜き出すことができる。尚また、押し付け手段２１の突起２５は消耗品である頭体１０に設けられているので繰り返し着脱して摩耗しても差し支えない。
【００３０】
このように、取り付けの終期および取り外しの初期に僅かな力を加えるだけで工具類を用いることなく頭体１０の着脱が行なえるものとした本実施の形態に係る超音波歯ブラシは、大人はもとより子供でも着脱ができることから、ブラシ１２が摩耗したときに交換するものに限らず、頭体１０を各人別とし柄１を共通の一個として各人が使用するたびに着脱するようにした家族共用タイプのものに殊に好適である。また、頭体１０は基端部が口腔外にあるような長さを有しているので、柄１の先端部が口腔に入ることがなく、従って家族間の感染が防止されるという衛生面での効果も期待できる。
【００３１】
図５，図６は本発明の異なる実施の形態を示す図であって、突出片２の第二壁２Ｂの外表面２ｂの先端部に台状の突起２９が第二壁２Ｂから隆起させて形成されている。この突起２９は先端から基端に向かって次第に幅が広くなるとともに高くなるように傾斜しており、突出片２に頭体１０が取り付けられたとき第二壁２Ｂと背壁１０Ｂとの先端部における隙間を押し拡げ、従ってブラシ植毛壁１０Ａのブラシ植毛領域における内表面１０ａを第一壁２Ａの外表面２ａに押し付け圧着させるように働く。即ち、本実施の形態における台状の突起２９は本発明の押し付け手段２１を構成するものである。
【００３２】
突起２９の最も高い部分には横方向へ延びるリブ状の係合突起３０が突出しており、背壁１０Ｂの先端部に内表面１０ｂへ開放して横方向へ延びる係合溝３１が設けられている。これらの係合突起３０と係合溝３１とは、突出片２に頭体１０が取り付けられたとき係合突起３０が係合溝３１に嵌入することによって互いに係合し、頭体１０が抜け出すのを防止するものであって、本実施の形態におけるアンダカット構造の係合突起３０，係合溝３１は本発明の補助抜け止め手段２４を構成する。
【００３３】
図５，図６に示した実施の形態においても、先の実施の形態と同様の係合突起２６，２７からなる抜け止め手段２２，突起２８からなる横振れ防止手段２３を具えており、補助抜け止め手段２４は抜け止め手段２２と協働して頭体１０を突出片２に安定よく保持する。そして、これら二つの抜け止め手段２２，２４は横方向に延びる突起や溝の組み合わせからなるアンダカット構造であるため、特別大きな力を要することなく係脱することができる。
【００３４】
尚、補助抜け止め手段２４は抜け止め手段２２と同様の二つの係合突起からなるものであってもよいが、押し付け手段２１である突起２９の上に係合突起３０を設けた本実施の形態にあっては、背壁１０Ｂに図５に示した係合溝３１または図７（Ａ），（Ｂ）に示すような係合溝孔３２，３３を設けて係合突起３０を嵌入係合させるのが好ましい。殊に、図７（Ｂ）に示すコ形の係合溝孔３３は背壁１０Ｂが変形して係合突起３０の嵌入を容易にする、という利点がある。
【００３５】
尚また、押し付け手段２１を構成する突起２５，２９は台状に限らず、前後方向へ延びる一条または互いに平行な複数条のリブ状のものであってもよい。
【００３６】
【発明の効果】
以上のように、本発明によるとブラシを有する頭体を工具類を用いることなく手で着脱、殊に取り外しが容易にできるものであり、また緩みやがたつきを生じることなく安定した状態に取り付けることができ、更に動力駆動歯ブラシにおいて振動のエネルギ伝達効率が高いとともに振動に伴う緩みやがたつきを生じさせることがなくすぐれた歯磨き効果が得られるものである。
【図面の簡単な説明】
【図１】本発明の実施の形態を示す一部切載した正面図。
【図２】図１の拡大縦断面部分図。
【図３】図２の横断面図。
【図４】（Ａ）は図２のＡ−Ａ線、（Ｂ）は図２のＢ−Ｂ線に沿う拡大断面図。
【図５】本発明の異なる実施の形態を示す縦断面部分図。
【図６】図５の横断面図。
【図７】（Ａ），（Ｂ）は本発明の更に異なる実施の形態を示す平面部分図。
【図８】従来例の（Ａ）は分解縦断面部分図、（Ｂ）は組立て状態の縦断面部分図。
【符号の説明】
１　柄，２　突出片，２ａ，２ｂ，２ｃ　外表面，１０　頭体，１０Ａ　ブラシ植毛壁，１０Ｂ　背壁，１０Ｃ　側壁，１０ａ，１０ｂ，１０ｃ　内表面，１１　中空部，１２　ブラシ，２１　押し付け手段，２２　抜け止め手段，２３　横振れ防止手段，２４　補助抜け止め手段，
【図１】
2004057534.tif 000003
【図２】
2004057534.tif 000004
【図３】
2004057534.tif 000005
【図４】
2004057534.tif 000006
【図５】
2004057534.tif 000007
【図６】
2004057534.tif 000008
【図７】
2004057534.tif 000009
【図８】
2004057534.tif 000010